(57)【要約】【課題】異常が発生した設備と関連する設備の故障予測を行うことができる監視制御装置を提供する。【解決手段】監視制御信号を蓄積するデータ蓄積部と、蓄積された監視制御信号を前記監視対象設備と紐づけて表示する表示部と、監視対象設備の保全情報の格納された設備保全装置から前記監視対象設備の保全情報を抽出するデータ抽出部と、を備え、異常が発生した設備が発現した時に、データ抽出部は、複数の監視対象設備のうち、異常が発生した設備と関連する設備の保全情報を設備保全装置から抽出し、表示部に表示する。【選択図】図１
2020154352.tif 000002
【特許請求の範囲】
【請求項１】
監視対象施設に設けられた複数の監視対象設備から取得した監視制御信号を用いて監視制御を行う監視制御装置であって、
前記監視制御信号を蓄積するデータ蓄積部と、
前記蓄積された監視制御信号と前記監視対象設備とを紐づける管理項目情報を有する管理データベースと、
前記蓄積された監視制御信号を前記管理項目情報に基づいて前記監視対象設備と紐づけて表示する表示部と、
前記監視対象設備の前記管理項目情報を含む保全情報の格納された設備保全装置から前記監視対象設備の保全情報を抽出するデータ抽出部と、を備え、
前記複数の監視対象設備のうち異常が発生した設備が発現した時に、
前記データ抽出部は、前記複数の監視対象設備のうち、前記異常が発生した設備と関連する設備の保全情報を前記設備保全装置から抽出し、前記表示部に表示する監視制御装置。
【請求項２】
前記データ抽出部は、前記異常が発生した設備の保全情報を前記設備保全装置から抽出し、前記表示部に表示する請求項１に記載の監視制御装置。
【請求項３】
前記監視制御信号のアナログ信号のうち、予め定められた信号を計測信号として、予め定められた期間格納するトレンドデータベースをさらに備え、
前記異常が発生した設備の計測信号をグラフ化して前記表示部に表示する請求項１または２に記載の監視制御装置。
【請求項４】
前記監視対象設備の運転履歴を、予め定められた期間格納する履歴データベースをさらに備え、
前記異常が発生した設備の運転履歴をグラフ化して前記表示部に表示する請求項１から３のいずれか一項に記載の監視制御装置。
【請求項５】
前記設備保全装置の前記保全情報は、前記監視対象設備の少なくとも種別と製造日とに関する情報を含む設備情報及び前記設備の点検に関する点検情報を有し
前記データ抽出部は、前記異常が発生した設備の前記管理項目情報を基に、前記設備保全装置から前記異常が発生した設備の設備情報を取得し、前記異常が発生した設備と同種であって前記異常が発生した設備の製造日を含む予め定められた期間に製造された設備を前記関連する設備として抽出する請求項１から４のいずれか一項に記載の監視制御装置。
【請求項６】
前記異常が発生した設備と関連する設備の前記計測信号をグラフ化して、前記表示部に表示する請求項３に記載の監視制御装置。
【請求項７】
前記異常が発生した設備と関連する設備の前記運転履歴をグラフ化して、前記表示部に表示する請求項４に記載の監視制御装置。
【発明の詳細な説明】
【技術分野】
【０００１】
本願は、監視制御装置に関するものである。
【背景技術】
【０００２】
監視制御装置は、監視対象設備機器の状態信号及び故障信号を取得して、監視制御を行う装置であり、通常監視制御装置には監視及び制御に必要な信号情報がデータとして保持されている。
一方、監視対象機器に対し、状態信号をもとに寿命予測を行い、異常発生前にメンテナンスを行う異常予知・寿命管理システムが提案されている（特許文献１）。
【０００３】
特許文献１では、監視対象の設備と監視システムは接続されており診断情報がリアルタイムで送信されるものの、各々独立したシステムで構築されていることから、監視対象の設備側では機器の動作状況と保全情報を同時に把握することができない。
【０００４】
また、異常発生時に、別のサーバに格納されている設備情報のリストをダウンロード可能な設備情報管理システムが知られている（特許文献２）。
特許文献２では、入手した設備情報リストから異常の対処に必要な情報を入手して、異常が発生した設備機器の対応を行うことが可能となる。
【先行技術文献】
【特許文献】
【０００５】
【特許文献１】特開２００３−０５０６１７号公報
【特許文献２】特開２０１０−０２６７７８号公報
【発明の概要】
【発明が解決しようとする課題】
【０００６】
従来の監視制御システムは、１つの設備に対し、異常予知を行うこと、あるいは発生した異常に対応し、過去に異常が発生した設備とその対処方法を参照するために関連する設備を抽出することができるものの、異常が発生した設備の情報に基づいて、この異常が発生した設備と関連する設備の故障予測を行うものではない。設備機器の寿命にはばらつきがあるものの、異常が発生した設備と例えば同時期の製造された同種の設備機器に対し、設備機器の異常発生のタイミングで他の設備機器に対し異常発生可能性の確認を行うことは設備機器の管理として有用である。
【０００７】
本願は、上記のような課題を解決するための技術を開示するものであり、監視制御装置に監視対象設備の保全に関する情報を取り込み、保全業務の支援を可能にすることを目的とする。
【課題を解決するための手段】
【０００８】
本願に開示される監視制御装置は、監視対象施設に設けられた複数の監視対象設備から取得した監視制御信号を用いて監視制御を行う監視制御装置であって、前記監視制御信号を蓄積するデータ蓄積部と、前記蓄積された監視制御信号と前記監視対象設備とを紐づける管理項目情報を有する管理データベースと、前記蓄積された監視制御信号を前記管理項目情報に基づいて前記監視対象設備と紐づけて表示する表示部と、前記監視対象設備の前記管理項目情報を含む保全情報の格納された設備保全装置から前記監視対象設備の保全情報を抽出するデータ抽出部と、を備え、前記複数の監視対象設備のうち異常が発生した設備が発現した時に、前記データ抽出部は、前記複数の監視対象設備のうち、前記異常が発生した設備と関連する設備の保全情報を前記設備保全装置から抽出し、前記表示部に表示するものである。
【発明の効果】
【０００９】
本願に開示される監視制御装置によれば、異常発生時に、異常の発生した設備と関連する設備を抽出し、その設備の保全情報を表示するので、異常の発生した設備と対比して、故障が発生する可能性のある設備を抽出することができ、保全活動の支援が可能となる。
【図面の簡単な説明】
【００１０】
【図１】実施の形態１に係る監視制御装置を示す概略構成図である。
【図２】実施の形態１に係る監視制御装置の表示部の画面表示の一例を示す図である。
【図３】実施の形態１に係る監視制御装置の管理データベースに格納されているデータ例を示す図である。
【図４】設備保全装置の設備情報データベースに格納されているデータ例を示す図である。
【図５】設備保全装置の点検情報データベースに格納されているデータ例を示す図である。
【図６】実施の形態１に係る監視制御装置における動作を示すフローチャートである。
【図７】実施の形態１に係る監視制御装置における出力結果の表示例を示す図である。
【図８】実施の形態１に係る監視制御装置における出力結果の別の表示例を示す図である。
【図９】実施の形態２に係る監視制御装置における動作を示すフローチャートである。
【図１０】実施の形態２に係る監視制御装置における出力結果の表示例を示す図である。
【図１１】実施の形態３に係る監視制御装置を示す概略構成図である。
【図１２】実施の形態３に係る監視制御装置の履歴データベースに格納されているデータ例を示す図である。
【図１３】実施の形態３に係る監視制御装置のトレンドデータベースに格納されているデータ例を示す図である。
【図１４】実施の形態３に係る監視制御装置における動作を示すフローチャートである。
【図１５】実施の形態３に係る監視制御装置における出力結果の表示例を示す図である。
【図１６】実施の形態３に係る監視制御装置における出力結果の別の表示例を示す図である。
【図１７】本実施の形態に係る監視制御装置のハードウエアの概略を示す構成図である。
【発明を実施するための形態】
【００１１】
以下、本願で開示される監視制御装置の実施の形態について図を参照して説明する。なお、各図中、同一符号は、同一または相当部分を示すものとする。
実施の形態において、監視対象の施設をビルとし、各階に設けられた空調設備、照明、セキュリティ関連機器、防災関連機器、給排水設備等の設備の監視制御を行う例を用いて説明するが、これに限定されるものではなく工場設備等への適用も可能である。
【００１２】
実施の形態１．
以下に、実施の形態１に係る監視制御装置について図を用いて説明する。
図１は、実施の形態１に係る監視制御装置を示す概略構成図である。監視制御装置１００は、監視対象装置あるいは監視対象施設１０００に備えられた設備機器１１００の動作に関する状態信号及び異常に関する故障信号を通信装置である中継装置２０００を経由して収集する。これら状態信号及び故障信号は監視制御装置１００の運転に用いられる監視制御信号データであり、データ入出力部１０１から入力され、データ蓄積部１０２に格納される。状態信号及び故障信号は管理データベース１０３に格納されている管理項目情報に紐付けられて表示部１１０の表示画面に表示される。また、表示部１１０は画面から操作が可能となっている。データ抽出部１０４は、設備保全装置２００に具備された設備情報データベース２１０及び点検情報データベース２２０から、監視対象の設備機器１１００の情報を適宜抽出し、表示部１１０へ抽出した情報を出力する。
なお、以下では「設備機器」は「設備」と称する。
【００１３】
図２は、表示部１１０の画面に表示された監視制御状況の一例を示す図である。
本実施の形態の監視制御の対象を、ビルＡの６階の空調設備として説明する。そのため、図２では、６階の空調設備の運転状況を示している。シンボル１１１で示された個々の空調設備は例えば２個ずつセットで複数のサブ系統１１２を構成し、６階フロア全体の空調設備を網羅している様子が表示されている。例えばサブ系統１１２Ｂには、２つの空調設備１１１ｃ、１１１ｄを具備し、空調設備１１１ｃは点滅し、異常の警報を発している。図中１１２Ｂ１等は、サブ系統１１２Ｂ等の状態信号等の表示部、１１１ｃ１等は、空調設備１１１ｃの状態信号等の表示部である。
【００１４】
図３は、管理データベース１０３に格納されている表示及び管理項目情報の一例を示す図である。データ蓄積部１０２に格納された状態信号及び故障信号が、この管理データベースの各項目に紐付けられることによって、表示部１１０の画面の適切な箇所に表示されることになる。
【００１５】
図４は、設備保全装置２００の設備情報データベース２１０に格納されている設備情報の一例を示す図である。監視対象施設１０００の具備する設備１１００の製造等に関する情報であり、少なくともその設備の種別と製造日が含まれる。例えば、種別として、設備の製造メーカ、型式、製品名、製造番号を含み、製造日（製造年月）、設置日、耐用年数等の情報が設備毎に格納されている。また、設備情報データベース２１０に格納されている設備情報は、図３で示した管理データベース１０３に格納されている表示及び管理項目情報を保有する。
【００１６】
図５は、設備保全装置２００の点検情報データベース２２０に格納されている点検情報の一例を示す図である。監視対象施設１０００の具備する設備１１００の点検に関する情報であり、日常点検、定期点検、オーバーホール等毎に実施した点検日、点検周期、次回予定等の情報が設備毎に格納されている。また、点検情報データベース２２０に格納されている点検情報は、図３で示した管理データベース１０３に格納されている表示及び管理項目情報を保有する。
図４の設備情報及び図５の点検情報は設備の保全情報であり、設備管理台帳として纏めたデータとしてもよい。
【００１７】
次に、本実施の形態１に係る監視制御装置１００の動作について、図６のフローチャートを用いて説明する。
まず、ステップＳ１０１において、図２の表示部１１０で異常の警報を発している空調設備１１１ｃを選択し、そのシンボルをクリックして、管理データベース１０３から空調設備１１１ｃの管理項目情報を取得する。管理項目情報は、管理データベース１０３に格納されている情報で、ここでは少なくとも設備番号を含んでいればよい。
【００１８】
ステップＳ１０２において、データ抽出部１０４は取得した項目情報あるいは設備番号を基に、設備保全装置２００の設備情報データベース２１０から選択された設備の設備情報を取得する。この時、選択された設備の点検情報を点検情報データベース２２０から取得してもよい。
【００１９】
ステップＳ１０３において、データ抽出部１０４は選択された設備の設備情報を基に、関連する設備の抽出を行う。ここで関連する設備とは、設備として同種のもの、例えば、選択された設備と製造メーカ、型式が同一で、製造番号が類似している（製造番号が予め定められた番号の範囲のもの）ものであって、選択された設備の製造日（製造年月）を含む予め定められた一定の期間内に製造されたものである。また、同種のものが予め紐づけられるように設備番号を付しておき、予め定められた番号の範囲の設備番号のものを関連する設備としてもよい。データ抽出部１０４は選択された設備の設備情報の項目を抽出条件に用い、設備保全装置２００の設備情報データベース２１０から、関連する設備の情報を取得する。同時に関連する設備の点検情報を点検情報データベース２２０から取得する。
【００２０】
ステップＳ１０４において、表示部１１０は、抽出された関連する設備の保全情報（設備情報及び点検情報）を表示する。
図７は、抽出された関連する設備の設備情報の一例であり、抽出された関連設備の設備情報が１件毎に出力されたものである。
図８は、抽出された関連する設備を一覧で示すものである。選択された設備とともに保全情報が示されている。
図７及び図８中の四角の枠を付した項目は抽出条件に用いたものである。ここでは、設備番号が予め定められた番号の範囲で類似し、機器・設備名称及び製造メーカが同一であり、製造年月が予め定められた期間のものであることが抽出条件である。
【００２１】
以上のように、本実施の形態１によれば、異常発生の設備が発現した時に、異常が発生した設備と関連する設備を抽出し、その設備の保全情報を取得して異常が発生した設備と対比することができるので、故障が発生する可能性のある設備を予測し、抽出することができ、保全活動の支援が可能となる。
【００２２】
実施の形態２．
以下に、実施の形態２に係る監視制御装置について図９及び図１０を用いて説明する。
実施の形態１では、選択された設備と関連する設備の保全情報を表示したが、選択された設備の保全情報も併せて表示するようにしてもよい。
【００２３】
図９は、実施の形態２に係る監視制御装置の動作を示すフローチャートである。ステップＳ１０１からステップＳ１０４までは実施の形態１と同様であるので説明は省略する。ステップＳ１０２の後に、データ抽出部１０４はステップＳ２０３において、選択された設備の点検情報を設備保全装置２００の点検情報データベース２２０から取得し、表示部１１０に出力する。
【００２４】
ステップＳ２０４において、表示部１１０は、選択された設備の保全情報を表示する。
図１０は、選択された設備の保全情報の出力例で図７の関連する設備の情報と同様の表記となっている。設備管理台帳のダイジェスト版として図１０のように設備情報と点検情報を併記したものを出力してもよいし、図４及び図５で示されたような設備管理台帳を選択された設備の保全情報としてもよい。
【００２５】
以上のように、実施の形態１の効果に加え、選択された設備の保全情報を表示することで、選択された設備すなわち、異常が発生した設備の点検履歴等の経緯をすぐに確認することができ、対処する参考となる。さらに、故障が発生する可能性のある設備を抽出することができ、選択された設備の関連する設備の保全情報と選択された設備の保全情報を比較することで、実施の形態１よりも保全活動に対する支援情報が増加する。
【００２６】
実施の形態３．
以下に、実施の形態３に係る監視制御装置について図１１から図１６を用いて説明する。
図１１は、実施の形態３に係る監視制御装置を示す概略構成図である。実施の形態１及び２に係る監視制御装置１００に、さらに履歴データベース１０５及びトレンドデータベース１０６を備える。履歴データベース１０５は、設備１１００の運転履歴、動作回数及び点検等のイベント情報を含むデータを格納したものである。トレンドデータベース１０６は設備１１００から得られる状態信号のうち、電流、電圧、温度等のアナログ信号の計測データであり、一定周期でサンプリングされ、一定期間蓄積、保持されたデータを格納したものである。
【００２７】
図１２は、履歴データベース１０５に格納されている履歴情報の一例を示したものである。個々の設備１１００に対し、例えば、基本の運転モード、運転履歴及び、日常点検及び停止等のイベント情報を含むものである。運転モードは例えば、空調設備であれば、在場者のいる時間帯運転を行う運転モードＡとし、セキュリティあるいは防災関連設備は昼夜運転を行う運転モードＢとする等、予め複数の運転モードを設定しておき、その中から設備に合った運転モードを選択するようにすればよい。また、履歴情報の蓄積期間は例えば３か月程度である。
【００２８】
図１３は、トレンドデータベース１０６に格納されているトレンド情報例を示したもので、個々の設備１１００の計測データである。計測条件として計測項目と、計測項目ごとにサンプリング周期が決定され、一定期間蓄積される。サンプリング周期は例えば、３０秒、１分、５分、１０分、３０分、６０分から選択し、蓄積期間は例えば３か月程度である。この計測データはトレンド情報を表示するためのデータベースである。
【００２９】
図１４は、実施の形態３に係る監視制御装置１００の動作を示すフローチャートである。ステップＳ１０１からステップＳ１０４までは実施の形態１、２と同様であり、ステップＳ２０３、２０４は実施の形態２と同様であるので説明は省略する。
ステップＳ２０４の後に、ステップＳ３０５において、図２の空調設備１１１ｃの状態信号１１１ｃ１のうち、アナログの計測信号をクリックすると、履歴情報が表示される。ここでは、状態信号１１１ｃ１が温度である場合とする。
【００３０】
続いて、ステップＳ３０６において、同様に、空調設備１１１ｃの状態信号１１１ｃ１のうち、アナログの計測信号をクリックすると、トレンド情報が表示される。ここでも同様に、状態信号１１１ｃ１が温度である場合とする。
ステップＳ３０５、ステップＳ３０６で、図２の空調設備１１１ｃの状態信号１１１ｃ１のうち、アナログの計測信号をクリックした時に、表示部１１０の画面上に別のウインドウ（小画面）を設定し、このウインドウから履歴情報表示かトレンド情報表示か選択するようにしてもよい。また両方を選択してもよい。
【００３１】
図１５は、ステップＳ３０５、ステップＳ３０６で、履歴情報表示及びトレンド情報表示を選択した場合の出力例である。破線は運転履歴、実線は温度変化を示したものである。このように履歴データグラフ化し、また計測データをトレンドデータとしてグラフ化することで、異常発生すなわち、設備が故障するまでの状況を把握することが可能となる。
図１６は、図１５のグラフを表示部１１０の画面上に表示したものである。
このように、設備が故障するまでの状況をグラフとして表示することで、設備の劣化傾向の分析に優位な情報を提供することが可能となる。
【００３２】
設備１１００の履歴データ、トレンドデータのグラフ化は、上述した異常の発生した設備のみ取得できるものではなく、任意の設備からも取得できる。例えば、上述のように選択されたすなわち異常の発生した設備の履歴データ、トレンドデータをグラフ化し、一方実施の形態１で取得した選択された設備と関連する保全情報を基に個々の設備の履歴データ、トレンドデータをグラフ化して、比較することにより、同様な経過を示す設備を抽出することが可能となり、故障予測の精度が向上する。
実施の形態１で取得した選択された設備の保全情報または選択された設備と関連する保全情報から、表示部１１０の画面に該当設備を表示するようにし、該当設備のシンボルあるいは該当設備の状態信号表示をクリックすることで、該当設備の各種情報を取得することは可能である。
【００３３】
上記、図１４において、選択されたすなわち異常の発生した設備の履歴データ、トレンドデータのみ表示する場合には、ステップＳ２０３、ステップＳ２０４をスキップし、保全情報を取得しなくてもよい。
【００３４】
以上のように、本実施の形態３では、選択されたすなわち異常の発生した設備の履歴データ、トレンドデータを表示するようにしたので、設備が故障するまでの状況が目視で確認できるとともに、設備の劣化傾向の分析に優位な情報を提供することが可能となる。また、選択されたすなわち異常の発生した設備の履歴データ、トレンドデータとともに、選択されたか設備と関連する設備の履歴データ、トレンドデータを併せて表示し、順次比較することで、同様な経過を示す設備を抽出することができ、故障予測の精度が向上する。
【００３５】
なお、実施の形態１から３に係る監視制御装置１００は、ハードウエアの一例を図１７に示すように、プロセッサ３１００と記憶装置３２００から構成される。記憶装置は図示していないが、ランダムアクセスメモリ等の揮発性記憶装置と、フラッシュメモリ等の不揮発性の補助記憶装置とを具備する。また、フラッシュメモリの代わりにハードディスクの補助記憶装置を具備してもよい。プロセッサ３１００は、記憶装置３２００から入力されたプログラムを実行する。この場合、補助記憶装置から揮発性記憶装置を介してプロセッサ３１００にプログラムが入力される。また、プロセッサ３１００は、演算結果等のデータを記憶装置３２００の揮発性記憶装置に出力してもよいし、揮発性記憶装置を介して補助記憶装置にデータを保存してもよい。
【００３６】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００３７】
１００：監視制御装置、  １０１：データ入出力部、  １０２：データ蓄積部、
１０３：管理データベース、  １０４：データ抽出部、  １０５：履歴データベース、
１０６：トレンドデータベース、  １１０：表示部、１１１：シンボル、
１１２：サブ系統、  ２００：設備保全装置、
２１０：設備情報データベース、  ２２０：点検情報データベース、
１０００：監視対象施設（監視対象装置）、  １１００：設備（設備機器）、
２０００：中継装置、  ３１００：プロセッサ、  ３２００：記憶装置。
【図１】
2020154352.tif 000003
【図２】
2020154352.tif 000004
【図３】
2020154352.tif 000005
【図４】
2020154352.tif 000006
【図５】
2020154352.tif 000007
【図６】
2020154352.tif 000008
【図７】
2020154352.tif 000009
【図８】
2020154352.tif 000010
【図９】
2020154352.tif 000011
【図１０】
2020154352.tif 000012
【図１１】
2020154352.tif 000013
【図１２】
2020154352.tif 000014
【図１３】
2020154352.tif 000015
【図１４】
2020154352.tif 000016
【図１５】
2020154352.tif 000017
【図１６】
2020154352.tif 000018
【図１７】
2020154352.tif 000019